(57)【要約】【課題】機器の電源をオフ状態にすることなく任意の差込口へ電源プラグを移動可能とする電源アダプタ及び電源プラグを提供すること。【解決手段】本発明かかる電源アダプタ１は、電源プラグ２０が接続される複数の電源プラグ用差し込み口１１と、バイパスケーブル１２を介して電源プラグ２０に接続されるバイパスプラグ１３と、を備え、バイパスプラグ１３は、電源プラグ２０が複数の電源プラグ用差し込み口１１と接続されていない状態において、電源プラグ２０に接続された場合、電源プラグ２０に対して電気を供給するものである。【選択図】図１
2013186965.tif 000002
【特許請求の範囲】
【請求項１】
電源プラグが接続される複数の電源プラグ用差し込み口と、
バイパスケーブルを介して前記電源プラグに接続されるバイパスプラグと、を備え、
前記バイパスプラグは、
前記電源プラグが前記複数の電源プラグ用差し込み口と接続されていない状態において、前記電源プラグに接続された場合、前記電源プラグに対して電気を供給する、電源アダプタ。
【請求項２】
前記バイパスプラグは、
前記電源プラグとは異なる形状に形成され、前記電源プラグに設けられた前記電源プラグ用差し込み口と異なる形状に形成されたバイパスプラグ用差し込み口と接続される、請求項１に記載の電源アダプタ。
【請求項３】
前記電源プラグ用差し込み口は、
第１の差し込み口と第２の差し込み口とを有し、
前記バイパスプラグは、
第１の導体部と第２の導体部とを有し、前記第１の導体と前記第１の差し込み口とが電気的に対応し、前記第２の導体と前記第２の差し込み口とが電気的に対応するように構成され、
前記第１の導体部は、前記第１の差し込み口に接続される前記電源プラグの第３の導体部と接続され、前記第２の導体部は、前記第２の差し込み口に接続される前記電源プラグの第４の導体部と接続される、請求項１又は２に記載の電源アダプタ。
【請求項４】
前記第１の導体と前記第１の差し込み口に電気を供給する第１の電気供給部と、
前記第２の導体と前記第２の差し込み口に電気を供給する第２の電気供給部と、をさらに備える、請求項３に記載の電源アダプタ
【請求項５】
前記バイパスケーブルは、
折り曲げ可能であって、厚みに対して充分に長い幅の寸法を有する矩形状に形成される、請求項１乃至４のいずれか１項に記載の電源アダプタ。
【請求項６】
複数の電源プラグ用差し込み口を有する電源アダプタと接続される電源プラグであって、
バイパスケーブルを介して前記アダプタと接続されているバイパスプラグと接続されるバイパスプラグ用差し込み口を備え、
前記電源プラグが前記電源プラグ用差し込み口と接続されていない状態において、前記バイパスプラグに接続された場合、前記バイパスプラグから電気の供給を受ける電源プラグ。
【請求項７】
前記バイパスプラグ用差し込み口は、
前記電源プラグ用差し込み口とは異なる形状に形成され、前記電源プラグとは異なる形状となるように形成された前記バイパスプラグと接続される、請求項６に記載の電源プラグ。
【発明の詳細な説明】
【技術分野】
【０００１】
本発明は電源アダプタ及び電源プラグに関し、特に電気を供給している状態を継続しながら電源プラグの取り外しを行うことが出来る電源アダプタ及び電源プラグに関する。
【背景技術】
【０００２】
複数の差込口を有する電源アダプタに複数の電源機器を接続する際、各機器の電源プラグ形状等により、電源が入っている機器の電源プラグの差込位置を変更する必要が生じることがある。
【０００３】
この時、機器にバッテリーが搭載されていない場合は、はじめに、一度機器の電源をオフにする必要がある。次に、電源をオフにした後、電源プラグを一度抜線して、差込位置を変更して電源プラグを差込口へ差し込む。最後に、機器の電源をオンにする。このような手順を実行した場合、一時的に機器へ電気が供給されなくなるため、機器が使用不可となる。
【０００４】
これに対して、特許文献１には、機器側にサブの電源ケーブルを用意する方法が提案されている。具体的には、メインの電源ケーブルを、電源アダプタの異なる差込口に差し替える場合に、サブの電源ケーブルを電源アダプタに差し込むことにより、機器を常に通電した状態に保つことができる。
【０００５】
また、特許文献２には、電力量計の端子部分に据置型分離端子を用いる構成が開示されている。さらに、据置型分離端子の電源側分離端子と負荷側分離端子とを接続する短絡装置を用いることにより、無停電での計器交換作業を行うことができることが開示されている。
【先行技術文献】
【特許文献】
【０００６】
【特許文献１】特開２００２−１７０６２４号公報
【特許文献２】特開２０１０−２６１７３３号公報
【発明の概要】
【発明が解決しようとする課題】
【０００７】
しかし、特許文献１のように全ての機器において電源ケーブルを２本ずつ用意した場合、電源アダプタの周りに多数の電源ケーブルが存在するようになり、電源アダプタの周辺が煩雑な状態となってしまうという問題がある。また、特許文献２のように電源側分離端子と負荷側分離端子とを短絡装置とを用いて接続する方法を電源アダプタに適用した場合、短絡装置の形状によって移動可能な差込口が決定されてしまう。つまり、複数の差込口を有する電源アダプタにおいて、固定的な形状を有する短絡装置を用いた場合、電源プラグを任意の差込口へ移動させることができないという問題が発生する。
【０００８】
本発明は、このような問題の少なくともひとつを解決するものであり、機器の電源をオフ状態にすることなく任意の差込口へ電源プラグを移動可能とする電源アダプタ及び電源プラグを提供することを目的とする。
【課題を解決するための手段】
【０００９】
本発明の第１の態様にかかる電源アダプタは、電源プラグが接続される複数の電源プラグ用差し込み口と、バイパスケーブルを介して前記電源プラグに接続されるバイパスプラグと、を備え、前記バイパスプラグは、前記電源プラグが前記複数の電源プラグ用差し込み口と接続されていない状態において、前記電源プラグに接続された場合、前記電源プラグに対して電気を供給するものである。
【００１０】
本発明の第２の態様にかかる電源プラグは、複数の電源プラグ用差し込み口を有する電源アダプタと接続される電源プラグであって、バイパスケーブルを介して前記アダプタと接続されているバイパスプラグと接続されるバイパスプラグ用差し込み口を備え、前記電源プラグが前記電源プラグ用差し込み口と接続されていない状態において、前記バイパスプラグに接続された場合、前記バイパスプラグから電気の供給を受けるものである。
【発明の効果】
【００１１】
本発明により、機器の電源をオフ状態にすることなく任意の差込口へ電源プラグを移動可能とする電源アダプタ及び電源プラグを提供することができる。
【図面の簡単な説明】
【００１２】
【図１】実施の形態１にかかる電源アダプタの構成図である。
【図２】実施の形態１にかかる電源アダプタの構成図である。
【図３】実施の形態１にかかる電源プラグの構成図である。
【図４】実施の形態１にかかる電源プラグがバイパスケーブルを介して接続されている状態を示す図である。
【図５】実施の形態２にかかる電源プラグと電源アダプタの接続構成を示す図である。
【発明を実施するための形態】
【００１３】
（実施の形態１）
以下、図面を参照して本発明の実施の形態について説明する。図１を用いて本発明の実施の形態１にかかる電源アダプタ１の構成例について説明する。電源アダプタ１は、複数の電源プラグ用差込口１１と、バイパスケーブル１２と、バイパスプラグ１３とを備えている。また、バイパスプラグ１３は、接続機器（図示せず）の電源プラグ２０と接続される。
【００１４】
電源プラグ２０は、通常、いずれかの電源プラグ用差込口１１に接続され、接続機器に対して電源を供給する。ここで、いずれかの電源プラグ用差込口１１に接続されている電源プラグ２０を、他の電源プラグ用差込口１１に移動する場合、バイパスプラグ１３が電源プラグ２０に接続される。この状態において、電源プラグ２０を電源プラグ用差込口１１から抜線し、移動先の電源プラグ用差込口１１へ差し込む。電源プラグ２０を電源プラグ用差込口１１から抜線し、移動先の電源プラグ用差込口１１へ差し込むまでの間、電源プラグ２０には、バイパスケーブル１２を介してバイパスプラグ１３から電気が供給される。
【００１５】
以上説明したように、図１の電源アダプタを用いることにより、電源プラグを抜線した場合においても、バイパスプラグを介して電気が供給されるため、接続機器の電源をオフ状態にすることなく、電源プラグの差し替えが可能となる。さらに、バイパスプラグ１３は、バイパスケーブルを介して接続されている。そのため、電源プラグ２０を任意の電源プラグ用差込口１１に移動させることが可能となる。
【００１６】
続いて、図２を用いて本発明の実施の形態１にかかる電源アダプタ１の詳細な構成例について説明する。電源アダプタ１は、本体部２と、バイパスプラグ１３と、本体部２及びバイパスプラグ１３を接続するバイパスケーブル１２とから構成されている。
【００１７】
本体部２は、電源プラグ用差込口１１＿１〜１１＿４と、電気供給部１４及び１５とを有している。電気供給部１４及び１５は、電源ケーブル３０を介して供給された電気を電源プラグ用差込口１１＿１〜１１＿４へ供給する。電気供給部１４及び１５は、導体を用いて構成されている。さらに、電気供給部１４と１５とは独立に配置し、接触させないように配置する。電気供給部１４及び１５は、電源ケーブル３０を介して電源の供給を受ける。
【００１８】
電源プラグ用差込口１１＿１〜１１＿４は、電気供給部１４及び１５から電気の供給を受ける。具体的には、電源プラグ用差込口１１＿１及び１１＿３は、電気供給部１４から電気の供給を受け、電源プラグ用差込口１１＿２及び１１＿４は、電気供給部１５から電気の供給を受ける。
【００１９】
電源プラグ用差込口１１＿１と１１＿２とが、一対として用いられ、電源プラグ用差込口１１＿３と１１＿４とが、一対として用いられる。電源プラグ用差込口１１＿１〜１１＿４は、差し込まれた電源プラグ２０に対して電気を供給する。
【００２０】
バイパスプラグ１３は、導体部１６及び１７を有している。導体部１６及び１７は、バイパスケーブル１２から供給された電気を、電源プラグ２０に対して供給する。導体部１６と導体部１７とは、独立に配置し、接触させないように配置する。
【００２１】
バイパスケーブル１２は、中継部１８及び１９を有している。バイパスケーブル１２は、中継部１８と中継部１９とを物理的に分離して用いてもよく、中継部１８と中継部１９とを結合して用いてもよい。中継部１８は、電気供給部１４と導体部１６との間に設けられる。つまり、中継部１８は、電気供給部１４から導体部１６に対して電気を供給するために、電気供給部１４及び導体部１６と接続される。同様に、中継部１９は、電気供給部１５から導体部１７に対して電気を供給するために、電気供給部１５及び導体部１７と接続される。
【００２２】
続いて、図３を用いて本発明の実施の形態１にかかる電源プラグ２０の構成例について説明する。電源プラグ２０は、機器に対して電源を供給するために、電源アダプタ１と接続される。具体的には、電源プラグ２０は、電源プラグ用差込口１１に接続され電気の供給を受ける。もしくは、電源プラグ２０は、バイパスプラグ１３と接続され電気の供給を受ける。電源プラグ２０は、バイパスプラグ用差込口２１及び２２と、差込プラグ２３及び２４と、を有している。バイパスプラグ用差込口２１と差込プラグ２３とが接続され、バイパスプラグ用差込口２２と差込プラグ２４とが接続されている。
【００２３】
例えば、差込プラグ２３が、電源プラグ用差込口１１＿１に差し込まれ、差込プラグ２４が電源プラグ用差込口１１＿２に差し込まれる。この場合、差込プラグ２３は、電気供給部１４から電気の供給を受け、差込プラグ２４は、電気供給部１５から電気の供給を受ける。そのため、電源プラグ２０がバイパスプラグ１３を介して電気の供給を受ける場合、導体部１６は、バイパスプラグ用差込口２１に差し込まれ、導体部１７は、バイパスプラグ用差込口２２に差し込まれる。このように接続することにより、バイパスプラグ用差込口２１から供給される電気及び差込プラグ２３から供給される電気は、電気供給部１４から供給される。つまり、差込プラグ及びバイパスプラグ用差込口を電気的に対応が取れている状態とする。さらに、バイパスプラグ用差込口２２から供給される電気及び差込プラグ２４から供給される電気は、電気供給部１５から供給される。そのため、バイパスケーブル１２を介した電源経路と、電源プラグ用差込口１１を介した電源経路とが同時につながっている状態において、例えば、バイパスプラグ用差込口２１と差込プラグ２３とが異なる電気供給部と接続されることによって回線がショートすることを防止することができる。
【００２４】
また、バイパスケーブル１２を介した電源経路と、電源プラグ用差込口１１を介した電源経路とが同時につながっている場合においても、差込プラグ２３を電源プラグ用差込口１１＿１に差し込み、導体部１６をバイパスプラグ用差込口２１に差し込み、差込プラグ２４を電源プラグ用差込口１１＿２に差し込み、導体部１７をバイパスプラグ用差込口２２に差し込むことによって、どちらの経路も電気供給部が同じである。つまり、電気供給部が同じであるため、バイパスプラグ用差込口２１及び差込プラグ２３には、電圧及び交流の周期などが同じ電流が流れる。同様に、バイパスプラグ用差込口２２及び差込プラグ２４にも、電圧及び交流の周期などが同じ電流が流れる。そのため、電源プラグ２０において、電流の制御、供給される電源経路の切り替え等、特別な仕組みを組み込まなくとも、電源プラグ２０を介して機器には安定した電気が供給され、機器の動作に影響を与えることはない。
【００２５】
ここで、バイパスケーブル１２の形状について説明する。バイパスケーブル１２は、差し込みプラグ２３及び２４と、バイパスプラグ用差込口２１及び２２とを、電気的に対応が取れた状態とするため、バイパスプラグ用差込口２１及びバイパスプラグ用差込口２２へ差し込まれるバイパスプラグ１３の向きが逆にならないようにする必要がある。つまり、バイパスケーブル１２がねじれて、バイパスプラグ用差込口２１及びバイパスプラグ用差込口２２へ差し込まれるバイパスプラグ１３の向きが逆にならないようにする必要がある。
【００２６】
そこで、バイパスケーブル１２は、厚みに対して充分に長い幅の寸法を有する矩形状に形成される。厚みに対して充分に長い幅の寸法を有するケーブルとすることにより、バイパスケーブル１２がねじれた状態になることを防止することができる。つまり、長い幅の寸法を有するケーブルとすることにより、バイパスケーブル１２がねじれた場合においても、容易に元の状態に戻ることができ、さらに、バイパスケーブル１２を視認した者もバイパスケーブル１２のねじれを確認することが容易となる。これにより、バイパスケーブル１２がねじれた状態において、バイパスプラグ１３を電源プラグ２０へ接続することを防止することができる。
【００２７】
続いて、電源アダプタ１に接続されている電源プラグ２０の位置を変更する場合の動作について説明する。はじめに、電源プラグ２０は、電源アダプタ１の任意の電源プラグ用差込口１１に接続されている状態とする。次に、バイパスプラグ１３を、電源プラグ２０のバイパスプラグ用差込口２１及び２２へ差し込む。この時、バイパスケーブル１２をねじれていない状態にして電源プラグ２０を差し込む必要がある。これにより、バイパスプラグ用差込口２１及び差込プラグ２３と、バイパスプラグ用差込口２２及び差込プラグ２４とをそれぞれ電気的に対応のとれた状態とする。
【００２８】
次に、電源プラグ２０を電源アダプタ１から抜線する。この時点においても、電源プラグ２０から電気の供給を受けていた機器に対しては、バイパスケーブル１２及びバイパスプラグ１３を介した電源経路から継続して電気が供給される。図４に電源プラグ２０が一時的に抜線された状態の図を示す。図４に示されるように、バイパスプラグ１３が電源プラグ２０に接続されている状態とすることによって、電源プラグ２０を電源アダプタ１から抜線した場合においても、電源プラグ２０に対して継続して電気を供給することができる。
【００２９】
次に、電源プラグ２０を電源アダプタ１の任意の電源プラグ用差込口１１へ差し込み直す。次に、電源プラグ２０におけるバイパスプラグ１３の接続を解除する。
【００３０】
以上説明したように、本発明の実施の形態１にかかる電源アダプタ１及び電源プラグ２０を用いることにより、電源プラグの形状等によって未使用の電源プラグ用差込口１１がふさがれており、新しい機器の追加が困難な状況においても、電源プラグ２０の位置を容易に変更することができる。つまり、すでに電源アダプタ１に接続されている既存の機器の電源状態や、電源断による影響等を考慮することなく、電源プラグ２０の差し込み位置を自由に変更することができる。
【００３１】
（実施の形態２）
続いて、図５を用いて本発明の実施の形態２にかかる電源アダプタ及び電源プラグの構成例について説明する。電源アダプタ５１は、複数の電源プラグ用差込口５２を有している。電源プラグ６０は、電源プラグ用差込口５２に差し込み可能な形状に形成されている。ここで、取り外し可能電源プラグ用差込口７０、バイパスケーブル７１及び取り外し可能電源プラグ７２を用いて、電源アダプタ５１と電源プラグ６０とを接続する構成について説明する。
【００３２】
取り外し可能電源プラグ用差込口７０と取り外し可能電源プラグ７２とは、バイパスケーブル７１を用いて接続されている。バイパスケーブル７１と取り外し可能電源プラグ７２とは、図１において説明したバイパスプラグ１３を用いて接続される。
【００３３】
取り外し可能電源プラグ７２は、図３において説明した電源プラグ２０と同様の構成及び、電源プラグ６０用の差込口とから構成されている。取り外し可能電源プラグ７２は、電源プラグ６０用の差込口を用いて電源プラグ６０と接続される。
【００３４】
取り外し可能電源プラグ用差込口７０は、任意の電源プラグ用差込口５２に接続されている。
【００３５】
図５に示しているように、複数の電源プラグ用差込口５２のうちの１つに、あらかじめ取り外し可能電源プラグ用差込口７０を取り付けておく。さらに、電源プラグ６０を電源アダプタ５１に接続する際に、あらかじめ電源プラグ６０と取り外し可能電源プラグ７２とを接続し、取り外し可能電源プラグ７２を電源プラグ用差込口５２に取り付けるようにする。このように接続することにより、電源プラグ６０は、取り外し可能電源プラグ７２及びバイパスケーブル７１を介して、電気の供給を受けることができる。そのため、取り外し可能電源プラグ７２を電源アダプタ５１から抜線した場合においても、電源プラグ６０と取り外し可能電源プラグ７２とが接続され、さらに、取り外し可能電源プラグ７２とバイパスケーブル７１とが接続されている場合には、電源プラグ６０を介して電気の供給を受けている機器に対して、常に電気を供給することができる。
【００３６】
図５の取り外し可能電源プラグ用差込口７０、バイパスケーブル７１及び取り外し可能電源プラグ７２を用いることにより、電源プラグ６０にバイパスプラグ用差込口２１を設けることなく、さらに、電源アダプタ１にバイパスケーブル１２及びバイパスプラグ１３を設けることなく、電源プラグ６０を、電気の供給を中断することなく任意の電源プラグ用差込口５２へ移動することができる。
【００３７】
現在市場には多くの電源アダプタ及び電源プラグが出回っているが、当然、市場に出回っている電源アダプタ及び電源プラグには、バイパスケーブル１２等は設けられておらず、バイパスプラグ用差込口２１等も形成されていない。そこで、取り外し可能電源プラグ７２及び、バイパスケーブル７１及びバイパスプラグが取り付けられている取り外し可能電源プラグ用差込口７０を用いることにより、市場に出回っている電源アダプタ及び電源プラグを利用して、電源プラグを任意の電源プラグ用差込口５２へ移動させることができる。
【００３８】
なお、本発明は上記実施の形態に限られたものではなく、趣旨を逸脱しない範囲で適宜変更することが可能である。
【符号の説明】
【００３９】
１  電源アダプタ
２  本体部
１１  電源プラグ用差込口
１１＿１  電源プラグ用差込口
１１＿２  電源プラグ用差込口
１１＿３  電源プラグ用差込口
１１＿４  電源プラグ用差込口
１２  バイパスケーブル
１３  バイパスプラグ
１４  電気供給部
１５  電気供給部
１６  導体部
１７  導体部
１８  中継部
１９  中継部
２０  電源プラグ
２１  バイパスプラグ用差込口
２２  バイパスプラグ用差込口
２３  差込プラグ
２４  差込プラグ
３０  電源ケーブル
５１  電源アダプタ
５２  電源プラグ用差込口
６０  電源プラグ
７０  取り外し可能電源プラグ用差込口
７１  バイパスケーブル
７２  取り外し可能電源プラグ
【図１】
2013186965.tif 000003
【図２】
2013186965.tif 000004
【図３】
2013186965.tif 000005
【図４】
2013186965.tif 000006
【図５】
2013186965.tif 000007